(57)【要約】【課題】歩行時に腕や肘などを置くことができ、さらに、握った際に力が入りやすく、痛みを感じることなくより握りやすい手摺の提供。【解決手段】手摺１は、棒状に形成されており、平面状に形成された上面である平面部３と、正面視において左側へ円弧状に膨出する曲面状に形成された膨出面部４と、正面視において右側へ円弧状に凹んだ曲面状に形成された円弧状面部５と、正面視において垂直面状に形成された垂直面部６と、正面視において凸湾曲面状に形成された延出面部１０とを備える。平面部３の左端部には、膨出面部４の上端部が連接され、その膨出面部４の下端部には、円弧状面部５の上端部が連接されている。一方、平面部３の右端部には、円弧面部９を介して垂直面部６の上端部が連接され、その垂直面部６の下端部には、延出面部１０の上端部が連接されている。【選択図】図１
2018044398.tif 000002
【特許請求の範囲】
【請求項１】
平面状に形成された上面である平面部と、
通路側へ円弧状に膨出する曲面状に形成され、上端部が前記平面部の通路側の端部に連接される膨出面部と、
前記通路側とは反対側へ円弧状に凹んだ曲面状に形成され、上端部が前記膨出面部の下端部に連接される円弧状面部と、
垂直面状に形成され、上端部が前記平面部の前記通路側と反対側の端部に円弧面部を介して連接される垂直面部と、
下方へ行くに従って通路側へ延出するように凸湾曲面状に形成され、上端部が前記垂直面部の下端部に連接される延出面部と
を備えることを特徴とする手摺。
【請求項２】
前記円弧状面部の半径が前記膨出面部の半径よりも大きく形成されている
ことを特徴とする請求項１に記載の手摺。
【発明の詳細な説明】
【技術分野】
【０００１】
本発明は、たとえば、建物内の通路に設置される手摺に関するものである。
【背景技術】
【０００２】
歩行時に手摺に腕や肘を置けるようにするためや、手摺の握り易さの向上を図るために、従来から種々の形状の手摺が提案されている。たとえば、縦断面が略逆三角形状に形成された手摺や、下記特許文献１に開示される手摺りが知られている。下記特許文献１には、平らな上面部の左右両端に滑らかに連続する１対の指掛け凸部が形成され、この各指掛け凸部の下端に指の第１関節よりも先端部が納まる左右１対の指先凹部が設けられ、横断面形状が左右対称の形状とされた手摺りが開示されている。
【０００３】
縦断面が略三角形状の手摺の場合、その形状により、断面が円形の手摺と比較して、握り易い。下記特許文献１に開示される手摺りの場合、左右１対の指掛け凸部の下端それぞれに指先凹部が形成されているので、一方の指掛け凸部に親指を掛けた状態でその親指の先端部を一方の指先凹部に収めると共に、他方の指掛け凸部に人差指および中指などを掛けた状態でその人差指および中指などの先端部を他方の指先凹部に収めて、手摺りが握られる。従って、手摺りを斜め方向に施工した場合であっても、安定して手摺りを握ることができる。
【０００４】
さらに、縦断面が略三角形状の手摺および下記特許文献１に開示される手摺りの場合、上面部が平らに形成されているので、使用者が上面に肘や腕などを置いてつたい歩きをする際に、安定した状態で痛みなく使用することができる。
【先行技術文献】
【特許文献】
【０００５】
【特許文献１】特開２０１０−１３８５８３号公報
【発明の概要】
【発明が解決しようとする課題】
【０００６】
しかしながら、縦断面が略三角形状の手摺の場合、手摺を強く握った際に、各角部が接触する箇所に痛みを感じることがある。一方、上記特許文献１に開示される手摺りの場合、長さの異なる各指を同一の大きさの指掛け凸部に掛けることになるので、各指が手摺りにフィットせず、手摺りを握った際に力が入りにくいことがあり、手摺りから手が滑り落ちるおそれがある。
【０００７】
本発明は、このような問題に鑑みてなされたものであり、その主たる目的は、歩行時に腕や肘などを置くことができ、さらに、握った際に力が入りやすく、痛みを感じることなくより握りやすい手摺を提供することにある。
【課題を解決するための手段】
【０００８】
上記目的を達成するための本発明に係る手摺は、平面状に形成された上面である平面部と、通路側へ円弧状に膨出する曲面状に形成され、上端部が前記平面部の通路側の端部に連接される膨出面部と、前記通路側とは反対側へ円弧状に凹んだ曲面状に形成され、上端部が前記膨出面部の下端部に連接される円弧状面部と、垂直面状に形成され、上端部が前記平面部の前記通路側と反対側の端部に円弧面部を介して連接される垂直面部と、下方へ行くに従って通路側へ延出するように凸湾曲面状に形成され、上端部が前記垂直面部の下端部に連接される延出面部とを備えることを特徴とする。
【０００９】
さらに、本発明に係る手摺は、前記円弧状面部の半径が前記膨出面部の半径よりも大きく形成されていることを特徴とする。
【発明の効果】
【００１０】
本発明に係る手摺によれば、膨出面部に親指を掛けた状態でその親指の腹を円弧状面部に接触させると共に、残りの指を円弧面部、垂直面部および延出面部に沿って接触させて、手摺を握ることができる。従って、長さの異なる各指がそれぞれ手摺の外周にフィットし、手摺を握った際に力が入りやすく、痛みを感じることなくより握りやすい。また、上面が平面状に形成されているので、歩行時に腕や肘などを安定して置くことができる。
【００１１】
さらに、本発明に係る手摺によれば、握った際に親指の腹が手摺の外周により自然にフィットするので、握りやすさをさらに向上することができる。
【図面の簡単な説明】
【００１２】
【図１】本発明の手摺の一実施例を示す正面図である。
【図２】図１の手摺の使用状態の一例を示す側面図であり、一部を断面にして示している。
【図３】図２におけるＡ−Ａ断面図である。
【発明を実施するための形態】
【００１３】
以下、本発明の手摺の具体的実施例を図面に基づいて詳細に説明する。
【００１４】
図１は、本発明の手摺の一実施例を示す正面図である。また、図２は、図１の手摺の使用状態の一例を示す左側面図であり、一部を断面にして示している。さらに、図３は、図２におけるＡ−Ａ断面図である。なお、以下では、通路側を左側とすると共に、通路側と反対側である壁面側を右側として説明する。
【００１５】
本実施例の手摺１は、たとえば、医療施設や介護施設などの建物内の通路２に沿って設置され、高齢者が歩行時に使用する医療介護用のものである。手摺１は、木製の棒状で中実状とされ、軸方向が前後方向へ沿うようにして配置されるものであり、その上面である平面部３と、平面部３の通路２側の端部に連接される膨出面部４と、膨出面部４の下端部に連接される円弧状面部５と、平面部３の通路２側とは反対側の端部に連接される垂直面部６と、垂直面部６の下端部に連接される延出面部１０とを備える。
【００１６】
平面部３は、手摺１の上面であり、正面視において平面状に形成されている。すなわち、手摺１は、上面が前後方向全体にわたって水平面状に形成されている。平面部３の左端部には、膨出面部４が連接されている。
【００１７】
膨出面部４は、正面視において左側へ円弧状に膨出する曲面状とされ、手摺１の前後方向全体にわたって形成されている。膨出面部４の上端部は、平面部３と膨出面部４とが滑らかに連続するようにして、平面部３の左端部に連接されている。これにより、手摺１の左側の上部には、左方へ円弧状に膨出する凸部７が形成される。膨出面部４の下端部には、円弧状面部５が連接されている。
【００１８】
円弧状面部５は、正面視において右側へ円弧状に凹んだ曲面状とされ、手摺１の前後方向全体にわたって形成されている。円弧状面部５の円弧半径Ｒ１は、膨出面部４の円弧半径Ｒ２よりも大きく形成されている。円弧状面部５の上端部は、膨出面部４と円弧状面部５とが滑らかに連続するようにして、膨出面部４の下端部に連接されている。円弧状面部５の下端部には、垂直面状部８が連接されている。
【００１９】
垂直面状部８は、略矩形で正面視において垂直面状とされ、手摺１の前後方向全体にわたって形成されている。垂直面状部８の上端部は、円弧状面部５と垂直面状部８とが滑らかに連続するようにして、円弧状面部５の下端部に連接されている。
【００２０】
一方、平面部３の右端部には、垂直面部６が連接されている。この垂直面部６は、略矩形で正面視において垂直面状とされ、手摺１の前後方向全体にわたって形成されている。垂直面部６の上端部は、円弧面部９を介して、平面部３の右端部に連接されている。円弧面部９は、正面視において略四分の一の円弧の曲面状とされ、手摺１の前後方向全体にわたって形成されている。平面部３と垂直面部６とは、平面部３の右端部と円弧面部９の上端部とが連接されると共に、円弧面部９の下端部と垂直面部６の上端部とが連接されて、滑らかに連続して連接されている。なお、円弧面部９の円弧半径Ｒ３は、膨出面部４の円弧半径Ｒ２と同一に形成されている。垂直面部６の下端部には、延出面部１０が連接されている。
【００２１】
延出面部１０は、正面視において下方へ行くに従って左側へ延出するように凸湾曲面状とされ、手摺１の前後方向全体にわたって形成されている。延出面部１０の上端部は、垂直面部６と延出面部１０とが滑らかに連続するようにして、垂直面部６の下端部に連接されている。
【００２２】
このようにして、手摺１は、滑らかに連続する外周面を有する棒状に形成されている。また、手摺１には、下方へ開口する溝１１が形成されている。この溝１１は、手摺１の前後方向全体にわたって形成されている。
【００２３】
溝１１の底面部１２は、正面視において下方へ円弧状に膨出する曲面状に形成されている。溝１１の左側の内壁面部１３は、垂直面状に形成されており、下端部が円弧面部１４を介して垂直面状部８の下端部に連接されている。円弧面部１４は、正面視において略半円弧の曲面状とされ、手摺１の前後方向全体にわたって形成されている。溝１１の左側の内壁面部１３と垂直面状部８とは、内壁面部１３の下端部と円弧面部１４の右端部とが連接されると共に、円弧面部１４の左端部と垂直面状部８の下端部とが連接されて、滑らかに連続して連接されている。溝１１の右側の内壁面部１５は、垂直面状に形成されており、下端部が円弧面部１６を介して延出面部１０の下端部に連接されている。円弧面部１６は、正面視において略円弧の曲面状とされ、手摺１の前後方向全体にわたって形成されている。溝１１の右側の内壁面部１５と延出面部１０とは、内壁面部１５の下端部と円弧面部１６の左端部とが連接されると共に、円弧面部１６の右端部と延出面部１０の下端部とが連接されて、滑らかに連続して連接されている。
【００２４】
図２および図３に示されるように、手摺１は、受け具１７により建物の壁面１８に取り付けられる。本実施例の受け具１７は、壁面１８への取付部１９と、取付部１９に設けられる腕部２０と、腕部２０に設けられる支持部２１とを備えて構成される。取付部１９は、円板状に形成されており、その略中央部に腕部２０が設けられている。腕部２０は、取付部１９から左方へ延出した後に上方へ屈曲した棒状に形成されており、先端部に板状の支持部２１が設けられている。支持部２１は、正面視において円弧状に湾曲して形成されており、その板厚が溝１１の深さよりも小さく形成されている。
【００２５】
手摺１を壁面１８に取り付けるには、まず、受け具１７，１７を前後方向へ離隔して壁面１８に固定する。各受け具１７は、その取付部１９を壁面１８に当接させた状態で、ネジ２２により固定される。この際、受け具１７は、その支持部２１が上方に配置されるようにして、壁面１８に固定される。その後、前後に離隔した受け具１７，１７間を架け渡すようにして、手摺１が設けられる。手摺１は、その溝１１の底面部１２が受け具１７の支持部２１の上面に載せ置かれ、下方からネジで固定される。この際、手摺１は、膨出面部４が通路２側に配置されるようにして、受け具１７に固定される。そして、手摺１の前後両端部に、エンドキャップ２３，２４が設けられる。
【００２６】
手摺１の前端部に設けられるエンドキャップ２３は、左右方向を長手方向とする略矩形の板状とされ、後面の左側に手摺１の差込穴２５が形成されている。一方、手摺１の後端部に設けられるエンドキャップ２４は、左右方向を長手方向とする略矩形の板状とされ、前面の左側に手摺１の差込穴２６が形成されている。手摺１の前端部に設けられるエンドキャップ２３は、その差込穴２５に手摺１の前端部が差し込まれた状態で、接着剤などにより手摺１に固定される。一方、手摺１の後端部に設けられるエンドキャップ２４は、その差込穴２６に手摺１の後端部が差し込まれた状態で、接着剤などにより手摺１に固定される。この際、両エンドキャップ２３，２４の右端部は、壁面１８に当接または近接している。
【００２７】
本実施例の手摺１の場合、平面部３の通路２側に膨出面部４と円弧状面部５とが連接される一方、平面部３の壁面１８側に円弧面部９、垂直面部６および延出面部１０が連接されているので、右手で手摺１を握りつつ歩行する際に、膨出面部４に親指を掛けた状態でその親指の腹を円弧状面部５に接触させると共に、残りの指を円弧面部９、垂直面部６および延出面部１０に沿って接触させて、手摺１を握ることができる。従って、各指および手の平を手摺１の外周にフィットさせることができ、手摺１を握った際に力が入りやすく、握りやすい。また、手摺１の外周全体を握り込まなくても力が入りやすいので、特に手の小さな人にとって握りやすい。
【００２８】
また、本実施例の手摺１の場合、前述した外周面を有しており、握った際に角部が接触する構成ではないので、強く握った際に痛みなく握ることができる。また、本実施例の手摺１の場合、上面が平面状に形成されているので、歩行時に腕や肘などを安定して置くことができる。また、本実施例の手摺１の場合、円弧状面部５の円弧半径Ｒ１が膨出面部４の円弧半径Ｒ２よりも大きく形成されているので、手摺１を握った際に親指の腹を手摺１の外周により自然にフィットさせることができ、これにより、握った際に力がより入りやすくなり、握りやすさをさらに向上することができる。さらに、本実施例の手摺１の場合、支持部２１の板厚が溝１１の深さよりも小さく形成されているので、取付時に支持部２１を溝１１内に収容することができ、手摺１から支持部２１が出っ張るのを防止することができる。
【００２９】
本発明の手摺は、前記実施例の構成に限らず、適宜変更可能である。たとえば、前記実施例では、医療施設や介護施設に設けられるものとしたが、その他の建物の通路に設置する手摺であってもよい。また、前記実施例では、手摺１の前後両端部を受け具１７により支持する構成とされたが、これに限定されるものではなく、前後の受け具１７，１７の間に一つまたは複数の受け具１７を設けてもよい。この受け具１７の構成も、適宜に変更可能である。さらに、手摺１の溝１１を覆うカバーを設けてもよい。この場合、カバーの外面は、手摺１の外周面と滑らかに連続するように、円弧の曲面状に形成される。
【産業上の利用可能性】
【００３０】
本発明は、医療施設や介護施設などの建物内の通路に設置される手摺に好適に適用されるものである。
【符号の説明】
【００３１】
１  手摺
２  通路
３  平面部
４  膨出面部
５  円弧状面部
６  垂直面部
９  円弧面部
１０  延出面部
Ｒ１  円弧状面部の円弧半径
Ｒ２  膨出面部の円弧半径
【図１】
2018044398.tif 000003
【図２】
2018044398.tif 000004
【図３】
2018044398.tif 000005